(57)【特許請求の範囲】
【請求項１】
把持対象物を一対の掴持アームで掴持するトングであって、
掴持アームは、補強リブを有して開閉操作する操作把持部と、その先方に把持対象物を掴持するためのギザ歯形状に成形された掴持部と、さらにその先方に把持対象物を摘持するための先端がＲ状に成形された摘持部と、から成り、
一対の掴持アームが弾機部を介して外方向に付勢する状態で左右対称に対向させて連結されると共に、摘持部には内側へ延設される突片摘持部がやや上方に傾斜させた状態で互い違いに配設されて成ることを特徴とするトング。
【請求項２】
前記弾機部が、連続した略Ｍ字状に成形されて成ることを特徴とする請求項１に記載のトング。
【発明の詳細な説明】
【技術分野】
【０００１】
本発明は、トングに関し、詳しくは、把持対象物を弱い力で確実且つ安定的に掴むことができると共に、トングの開閉力が経時的に減退しないトングに関するものである。
【背景技術】
【０００２】
従来のトングの使い方としては、サラダ料理などの調理野菜を掴んだり、ロックアイスや角砂糖など嗜好品の飲用時に使われたり、スパゲッテイや鍋料理など高温の食材を掴んだり、バーベキュー料理に使われる薪や、燃料炭を掴んだり、清掃活動などのごみ収集用に使われるなど、多様な目的に合わせて金属製や合成樹脂製のトングが提供されている。
【０００３】
例えば、鍋料理など高温の食材を掴んで、串を刺したり外したりするのに適した金属製の「トング」（特許文献１）が提案されている。該提案は、バネ性によって開方向へ付勢され、手でつかんで開閉できる２つのアームと、各アームの先端に形成され、物を把持するための凹みを有する把持部と、この凹みの中央に形成され前後方向に長い孔と、この孔の前方部と前記把持部の前縁部とを連通して形成される切り込みと、を有して形成されるものである。
【０００４】
しかしながら、上記における「トング」の提案は、蒟蒻やツミレなど鍋料理に使われる食材を掴んで串を刺したり外したりするのに適したトングの提案であって、把持対象物を弱い力で確実且つ安定的に掴むことができると共に、トングの開閉力が経時的に減退しない機能を備えるトングの提案ではなかった
【０００５】
また、容器に収容されたかち割り氷や固形砂糖のような把持対象物を把持して取り出すトングにおいて、特にバネ圧を変えることができ、樹脂により一体成形するのに適した合成樹脂製の「トング」（特許文献２）が提案されている。該提案は、先端部に相対向して設けられ、把持対象物Ｔを把持する一対の把持部と、該把持部を先端側に備え、相対向して上方に延び、把持部による把持・把持解除操作を行う操作部と、該両操作部を上端部において一体的に連結し、かつ上方に向け弯曲すると共に弾性を有する弾性弯曲部と、からなるトングであって、上記弾性弯曲部の下方の両操作部間に、操作部を操作して把持部により把持対象物を把持して後把持解除したときに、把持部を元の位置に弾性復帰させる復帰習性を有する弾性体を一体的に設けたものである。
【０００６】
しかしながら、上記における「トング」の提案は、合成樹脂により一体成形されたトングでありながら、操作部に十分なバネ圧が確保され、しかも両把持部により把持対象物を把持するとき、把持対象物の大きさや形状に左右されずに対向する把持部に真っ直ぐな力が作用して、把持対象物を確実に把持することができ、さらには、使い捨てが可能であるといった作用効果を奏するものであるが、本発明の目的とする把持対象物を弱い力で確実且つ安定的に掴めることができると共に、トングの開閉力が経時的に減退しない機能を備えるトングの提案ではなかった。
【０００７】
本出願人は、以上のような従来から使用されているトングにおける把持確実性及び開閉力の経時的減退性といった問題に着目し、その問題点を簡便且つ、容易な方法で解決することができないものかという着想の下、把持対象物を弱い力で確実且つ安定的に掴むことができると共に、トングの開閉力が経時的に減退しないトングを開発し、本発明にかかる「トング」の提案に至るものである。
【先行技術文献】
【特許文献】
【０００８】
【特許文献１】特開２０１４−１１３３５１号公報
【特許文献２】特開２００３−１４４３３９号公報
【発明の概要】
【発明が解決しようとする課題】
【０００９】
本発明は上記問題点に鑑み、把持対象物を弱い力で確実且つ安定的に掴めることができると共に、トングの開閉力が経時的に減退しないトングを提供することを課題とする。
【課題を解決するための手段】
【００１０】
上記の課題を解決するため、本発明は、把持対象物を一対の掴持アームで掴持するトングであって、掴持アームは、補強リブを有して開閉操作する操作把持部と、その先方に把持対象物を掴持するためのギザ歯形状に成形された掴持部と、さらにその先方に把持対象物を摘持するための先端がＲ状に成形された摘持部と、から成り、一対の掴持アームが弾機部を介して外方向に付勢する状態で左右対称に対向させて連結されると共に、摘持部には内側へ延設される突片摘持部がやや上方に傾斜させた状態で互い違いに配設された構成となっている。
【００１１】
また、本発明は、前記弾機部が、連続した略Ｍ字状に成形されて成る構成を採用することもできる。
【発明の効果】
【００１２】
本発明にかかるトングによれば、掴持アームの先方に先端がＲ状に成形された摘持部を成形すると共に、該摘持部に把持対象物を摘持するための突片摘持部が配置されることで、把持対象物を弱い力で確実且つ安定的に掴むことができる、といった優れた効果を奏する。
【００１３】
また、本発明にかかるトングによれば、突片摘持部が上方に傾斜して互い違いに配設されていることによって、把持対象物を弱い力で確実且つ安定的に掴むことができる、といった優れた効果を奏する。
【００１４】
さらに、本発明にかかるトングによれば、掴持アームの基端部に連続する略Ｍ字状に成形されて成る弾機部が設けられることによって、トングの開閉力が経時的に減退しない、といった優れた効果を奏する。
【００１５】
またさらに、本発明にかかるトングによれば、把持対象物の温度が高温から低温ならびに小さいものから大きなものに至るまで、全ての把持対象物をこよなく掴むことができる、といった優れた効果を奏する。
【図面の簡単な説明】
【００１６】
【図１】本発明にかかるトングの実施形態を示す説明図である。
【図２】本発明にかかるトングの実施形態を示す全体斜視図である。
【図３】本発明にかかるトングの個別の使用状態を示す説明図である。
【発明を実施するための形態】
【００１７】
本発明のトング１０は、把持対象物Ｔを一対の掴持アーム１１で掴持するトング１０であって、該掴持アーム１１は、補強リブ１７を有して開閉操作する操作把持部１２と、その先方に把持対象物Ｔを掴持するためのギザ歯形状に成形された掴持部１３と、さらにその先方に把持対象物Ｔを摘持するための先端がＲ状に成形された摘持部１４と、から成り、一対の掴持アーム１１が弾機部１６を介して外方向に付勢する状態で左右対称に対向させて連結されると共に、摘持部１４には内側へ延設される突片摘持部１５が上方に傾斜させた状態で互い違いに配設されて成る構成を採ったことを最大の特徴とする。
以下、本発明にかかるトングの実施形態を、図面に基づいて説明する。
【００１８】
尚、本発明にかかるトング１０は、以下に述べる実施例に限定されるものではなく、本発明の技術的思想の範囲内、すなわち同一の作用効果を発揮できる形状及び寸法等の範囲内で、適宜変更することができる。
【００１９】
図1は、本発明におけるトングの実施形態を示す説明図であり、図１（ａ）はトング１０の側面図、図１（ｂ）は掴持時の状態を示す側面図、図１（ｃ）は把持対象物Ｔの掴持時の状態を示す側面図である。
本発明にかかるトング１０は、把持対象物Ｔを一対の掴持アーム１１で掴持するトング１０であって、該掴持アーム１１は、補強リブ１７を有して開閉操作する操作把持部１２と、その先方に把持対象物Ｔを掴持するためのギザ歯形状に成形された掴持部１３と、さらにその先方に把持対象物Ｔを摘持するための先端がＲ状に成形された摘持部１４と、から成る。
【００２０】
掴持アーム１１は、その材質について特に限定はないが、例えば金属製から成り、１枚の金属製の板材に補強リブを有して開閉操作する操作把持部１２が形成され、また、該操作把持部１２の先方には、把持対象物Ｔを掴持するためのギザ歯形状に成形された掴持部１３が形成され、さらに該掴持部１３の先方には、把持対象物Ｔを摘持するための先端がＲ状に成形された摘持部１４が形成される。
【００２１】
操作把持部１２は、掴持アーム１１の基端部側に設けられるもので、掴持アーム１１を手で握って開閉を操作する部分である。
【００２２】
掴持部１３は、掴持アーム１１における前記操作把持部１２の先方に形成された把持対象物Ｔを掴持する部分であって、内側がギザ歯形状に成形されることで、軟らかいもの、大きいもの、形状が複雑な把持対象物Ｔを確実に掴持することが可能な構造となっている。
【００２３】
摘持部１４は、掴持アーム１１における前記掴持部１３の先方に形成されるもので、把持対象物Ｔを摘持すべく先端がＲ状に成形されると共に、内側上方に傾斜させた状態で延設された突片摘持部１５を配設した構造となっている。
【００２４】
該突片摘持部１５は、前記摘持部１４の内側にやや上方に傾斜させた状態で延設されるもので、対向する一対の掴持アーム１１の夫々に配設された突片摘持部１５は、掴持アーム１１を閉じた際、互いにその先端が突き合うことなく互い違いとなる位置関係で配設される構成を採る。かかる構成を採用することで、細かいもの、小さい把持対象物Ｔを弱い力で確実に摘持することができる。
【００２５】
弾機部１６は、一対の掴持アーム１１を外方向に付勢する状態で左右対称に対向させて連結するもので、その具体的構造について特に限定はなく、例えば通常形態である逆Ｕ字状とする構造が考え得る。
【００２６】
尚、本発明にかかるトング１０においては、図面に示すように、前記弾機部１６の構造として、対向した一対の掴持アーム１１と連続した略Ｍ字状に成形する構造態様を採用し得る。かかる構造を採用することで、一般的な逆Ｕ字状の弾機部１６構造に比し、トング１０の開閉力が経時的に減退しない構造とすることができる。
【００２７】
本発明にかかるトング１０が把持の対象とする把持対象物Ｔについては、特に限定はなく、細かいもの、小さいもの、軟らかいもの、大きいもの、形状が複雑なもの、熱いもの、冷たいものなどあらゆるものが把持対象物Ｔとなる。
【００２８】
以上で構成される本発明にかかるトング１０は、従来の金属製や合成樹脂製のトングにおける使用上の利点を多く備えるもので、使用にあたっては万能的に多種多様の用途に利用することができる。
【００２９】
図２は、本発明にかかるトングを示す全体斜視図であり、図２（ａ）はトング１０の全体斜視図、図２（ｂ）はトング１０の使用状態における全体斜視図である。
本発明にかかるトング１０は、用途に合わせて材質を自由に選択可能であるため、例えば金属製とすることで、温度の高い食材や燃料炭などを把持対象物Ｔとすることもでき、また、調理用や鍋料理用、バーベキュー料理用、ごみ収集用など、多種多様の用途に万能的に利用できるものである。
【００３０】
図３は、本発明におけるトングの個別の使用状態を示す説明図であり、図３（ａ）は、摘持部１４を使って把持対象物Ｔを摘んだ状態を示している。
掴持アーム１１の先方に形成される先端がＲ状に成形された摘持部１４と、その内側方向に延設されて対向し、さらにやや上方に傾斜させて互い違いに配設された突片摘持部１５と、の複数点支持によって、把持対象物Ｔを弱い力で確実且つ安定的に摘むことができるもので、例えば細かいもの、小さい把持対象物Ｔを摘持する際に有効である。
【００３１】
図３（ｂ）は、掴持部１３と摘持部１４を使って把持対象物Ｔを掴んだ状態を示している。
掴持アーム１１に形成されるギザ歯形状に成形された掴持部１３と、先端がＲ状に成形された摘持部１４と、互い違いに配設された突片摘持部１５と、の複数点支持によって、把持対象物Ｔを弱い力で確実且つ安定的に掴むことができるもので、例えば軟らかいもの、大きいもの、形状が複雑な把持対象物Ｔを摘持する際に有効である。
【００３２】
図３（ｃ）は、掴持部１３を使って把持対象物Ｔを掴んだ状態を示している。
掴持アーム１１に形成されるギザ歯形状に成形された掴持部１３により、把持対象物Ｔを弱い力で確実且つ安定的に掴むことができるものであるが、その際に摘持部１４に配設された突片摘持部１５で把持対象物Ｔを下から支える様に掴むことも可能である。このとき、掴持アーム１１を例えば金属などの耐熱性素材で成形することで、温度の高い食材や燃料炭、あるいは温度の低いロックアイスなど、対象となる把持対象物Ｔの種類を選ばず掴むことができ、熱いものや冷たい把持対象物Ｔを摘持する際に有効となる。
【産業上の利用可能性】
【００３３】
本発明にかかるトング１０は、従来から使用されているトングと比較して、多種多様な把持対象物Ｔを弱い力で確実且つ安定的に掴めることができると共に、トング１０の開閉力が経時的に減退しない構造であることから、本発明の産業上の利用可能性は極めて大であるものと思料する。
【符号の説明】
【００３４】
１０    トング
１１    掴持アーム
１２    操作把持部
１３    掴持部
１４    摘持部
１５    突片摘持部
１６    弾機部
１７    補強リブ
Ｔ    把持対象物
【図１】
0006510871.tif 000002
【図２】
0006510871.tif 000003
【図３】
0006510871.tif 000004